(57)【要約】【課題】  ＲＳＳＩ回路の複雑化・拡大化を可及的に回避しつつ、その検波下限レベルを下げる（低いレベルの信号を検波可能とする）。【解決手段】  受信信号をダウンコンバートして得られたＩＦ信号を増幅部１８で増幅し、該増幅部１８で得られる信号に基づき受信信号強度指標信号を生成するＲＳＳＩ回路に、上記ＩＦ信号をダウンコンバートするミキサー回路１１と、該ミキサー回路１１および上記増幅部１８間に設けられるローパスフィルタ回路１２と、を設ける。【選択図】  図１
2007006026.tif 000002
【特許請求の範囲】
【請求項１】
受信信号をダウンコンバートして得られた中間周波信号を増幅部で増幅し、該増幅部で得られる信号に基づき受信信号強度表示信号を生成するＲＳＳＩ回路であって、
上記中間周波信号をダウンコンバートするミキサー回路と、
該ミキサー回路および上記増幅部間に設けられるローパスフィルタ回路と、を備えることを特徴とするＲＳＳＩ回路。
【請求項２】
上記ミキサー回路は、中間周波信号を、周波数が３．０ＭＨｚ以下の信号にダウンコンバートすることを特徴とする請求項１記載のＲＳＳＩ回路。
【請求項３】
上記増幅部は、カスコード接続された複数段のアンプ回路を備えることを特徴とする請求項１記載のＲＳＳＩ回路。
【請求項４】
複数段のアンプ回路それぞれに対応して設けられ、各アンプ回路からの出力信号を変換する変換回路と、
各変換回路の出力を加算する加算回路とを備え、
該加算回路からＲＳＳＩ信号を出力することを特徴とする請求項３記載のＲＳＳＩ回路。
【請求項５】
アンプ回路の段間のうち少なくとも１つにローパスフィルタ回路が設けられていることを特徴とする請求項３記載のＲＳＳＩ回路。
【請求項６】
上記ローパスフィルタ回路の通過帯域幅が所望信号の帯域幅に略等しいことを特徴とする請求項５記載のＲＳＳＩ回路。
【請求項７】
アンプ回路の段間のうち少なくとも１つにバンドパスフィルタ回路が設けられていることを特徴とする請求項３記載のＲＳＳＩ回路。
【請求項８】
上記バンドパスフィルタ回路の通過帯域幅が所望信号の帯域幅に略等しいことを特徴とする請求項７記載のＲＳＳＩ回路。
【請求項９】
アンプ回路の段間のうち少なくとも１つにローパスフィルタが設けられ、他の段間にハイパスフィルタ回路が設けられていることを特徴とする請求項５記載のＲＳＳＩ回路。
【請求項１０】
上記請求項１から９のいずれか１項に記載のＲＳＳＩ回路を備えることを特徴とする半導体集積回路。
【請求項１１】
請求項１０記載の半導体集積回路を備えていることを特徴とする通信装置。
【発明の詳細な説明】
【技術分野】
【０００１】
本発明は、半導体集積回路に内蔵可能なＲＳＳＩ(Received Signal Strength Indicator)回路に関し、特に無線受信機のＲＳＳＩ回路に関する。
【背景技術】
【０００２】
図１３はＲＳＳＩ回路を含む高周波信号受信システムの一例である。受信されたＲＦ（無線周波数）信号はＬＮＡ１０１で増幅され、Ｍｉｘｅｒ１０２で数百ＭＨｚのＩＦ(中間周数)信号にダウンコンバートされる。Ｍｉｘｅｒ１０２からの出力信号は、フィルタ１０３でノイズ等（所要周波数以外のスプリアス）の除去が行われた後、ＲＳＳＩ回路１０４とＡＧＣ回路１０５とに入力される。ＲＳＳＩ回路１０４は入力信号のレベルに応じたＲＳＳＩ信号を出力する。また、ＡＧＣ回路１０５は信号の出力信号のレベルが一定になるように調整し、調整された信号は復調回路１０６で復調され、デジタル回路１０７で処理される。この時、ＲＳＳＩ信号はデジタル回路１０７に入力され、デジタル回路での種々の制御に利用される。たとえば、ＡＧＣ回路１０５の利得制御や、受信信号の有無の判断などがある。そのためＲＳＳＩ回路には高い線形性が要求され、受信信号の有無に使用する場合はそれに加え、受信感度よりもある程度低いレベルの信号まで検波できる能力が必要となる。
【０００３】
図１４に従来のＲＳＳＩ回路の構成を示す。同図に示すように、入力信号はアンプ回路２０１に入力される。アンプ回路２０１は、ＩＦ信号を増幅した増幅信号を出力し、かつ、入力信号のレベルに応じた整流信号を出力する。アンプ回路２０１からの整流信号は変換回路２０４に入力される。そして、変換回路２０４は整流信号に比例した信号を出力する。図１５は、アンプ回路入力−変換回路出力の特性である。アンプ回路２０１の増幅信号はアンプ回路２０２に入力される。アンプ回路２０２・２０３および変換回路２０５・２０６はそれぞれ、前記アンプ回路２０１および変換回路２０４と同様の動作をする。ここで、アンプ回路２０１・２０２・２０３は同一の回路であり、変換回路２０４・２０５・２０６も同一の回路である。
【０００４】
各アンプ回路の入力は後段になるほど大きくなるため、入力信号のレベルに対する変換回路２０４・２０５・２０６の出力は図１１（ａ）のようになる。加算回路２０７は、変換回路２０４・２０５・２０６の出力を加算した値に比例したＲＳＳＩ信号を出力する。なお、加算回路２０７は図１１（ａ）に示す３本の信号ａ〜ｃを加えるため、その加算結果は図１１（ｂ）のようになり、また、これに基づくＲＳＳＩ信号は図１２に示すようになる。なお、図１２の破線はノイズの影響を考慮しない場合のＲＳＳＩ信号である。
【０００５】
なお、ＲＳＳＩ回路についての公知文献として下記の特許文献１〜５を挙げることができる。
【特許文献１】特開平６−２１３６７６号公報（公開日：平成１９９４年８月５日）
【特許文献２】特開平１１−２６１５００号公報（公開日：１９９９年９月２４日）
【特許文献３】特開２００１−１８９６３５公報（公開日：２００１年７月１０日）
【特許文献４】特開２００２−３１６５７３公報（公開日：２００２年１月３１日）
【特許文献５】特開２００２−１１８４３２公報（公開日：２００２年４月１９日）
【発明の開示】
【発明が解決しようとする課題】
【０００６】
ここで、初段のアンプ２０１には、熱雑音（ホワイトノイズ）、ショット雑音あるいはフリッカ雑音等様々なノイズが混入し、アンプ回路で増幅される。しかしながら、このようにノイズ電力が増加した場合、ＩＦ信号が図１２に示す信号レベルｉｆＬより低くなると、ＲＳＳＩ信号が変化しなくなり、検波できなくなってしまう。この点、所望信号の中間周波数（ＩＦ）帯域のほとんどが数ＭＨｚ〜数十ＭＨｚであることに鑑みれば、ＢＰＦ（バンドパスフィルタ）を設けてアンプ回路の前段で上記周波数帯域外のノイズを除去しておくことも考えられる。しかしながら、ＲＳＳＩ回路への入力信号（ＩＦ信号）の周波数領域で数ＭＨｚの通過帯域幅をもつＢＰＦを作成しようとすると、非常に複雑な回路構成になってしまう。
【０００７】
なお、以下のような問題もある。すなわち、上記従来の構成では、高い線形性を得るためにアンプ回路を多数カスコード接続する必要があるが、多くのアンプ回路をカスコード接続すると、各アンプ回路内の素子から発生する熱雑音等のノイズ電力が多くなる。このノイズ電力はアンプ回路で増幅されるため、後段のアンプほど所望信号以外の電力和が大きくなり、ノイズの電力の影響が無視できなくなる。すなわち、ＩＦ信号があるレベルより低くなると、図１２に示すようにＲＳＳＩ信号が変化しなくなり、検波できなくなってしまう。
【０００８】
本発明は、上記課題に鑑みてなされたものであり、その目的は、ＲＳＳＩ回路の複雑化拡大化を可及的に回避しながらその検波下限レベルを下げる（低いレベルの信号を検波可能とする）点にある。
【課題を解決するための手段】
【０００９】
本発明のＲＳＳＩ回路は、上記課題を解決するために、受信信号をダウンコンバートして得られた中間周波信号を増幅部で増幅し、該増幅部で得られる信号に基づき受信信号強度表示信号を生成するＲＳＳＩ回路であって、上記中間周波信号をダウンコンバートするミキサー回路と、該ミキサー回路および上記増幅部間に設けられるローパスフィルタ回路と、を備えることを特徴とする。
【００１０】
ＩＦ信号の周波数領域で数ＭＨｚの通過帯域幅を有するＢＰＦを作成すると、非常に複雑な回路構成になってしまう。反面、遮断周波数の低いローパスフィルタ(ＬＰＦ)であれば比較的簡易な構成で実現しうる。
【００１１】
そこで、本願では、所望信号を、ＲＳＳＩ回路の初段に配置したミキサー回路によってＩＦ信号よりも低い周波数にダウンコンバートしておく。そして、ミキサー回路の後段に配置されたＬＰＦ回路によって、ＬＰＦ回路の通過帯域よりも高い周波数の（所望信号の周波数帯域以外の）ノイズを除去し、所望信号の周波数帯域の信号のみを増幅部に入力させる。
【００１２】
これにより、増幅部におけるノイズ電力を大幅に減少させることができ、検波下限レベルを低くする（低いレベルの信号も検波しうるＲＳＳＩ回路を実現する）ことができる。併せて、ローパスフィルタ(ＬＰＦ)の遮断周波数を低く設定することが可能であるため、その（ＬＰＦの）構成を簡易化なものとすることができる。
【００１３】
また、本ＲＳＳＩ回路において、上記ミキサー回路は、中間周波信号を周波数が３．０ＭＨｚ以下の信号にダウンコンバートすることが好ましい。このように、数ＭＨｚ以下の低い周波数までダウンコンバートすることで、集積回路内でのローパスフィルタの形成が容易となる。
【００１４】
また、本ＲＳＳＩ回路において、上記増幅部は複数段のアンプ回路を備えることが好ましい。該構成によれば、受信信号強度表示信号のダイナミックレンジを広げることができる。この場合、アンプ回路の各段をカスコード接続し、複数段のアンプ回路それぞれに対応して設けられ、各アンプ回路からの出力信号を変換する変換回路と、各変換回路の出力を加算する加算回路とを設ける構成とすることもできる。
【００１５】
また、本ＲＳＳＩ回路においては、上記アンプ回路の段間のうち少なくとも１つにローパスフィルタ回路が設けられていることが好ましい。このように、アンプ回路の段間にもノイズ除去用のＬＰＦを配置することで、各アンプ回路内の素子から発生する熱雑音等のノイズを除去することができ、検波下限レベルをより低くすることができる。この場合、アンプ回路段間のローパスフィルタ回路の通過帯域幅が所望信号の帯域幅に略等しいことが好ましい。こうすれば、所望信号より高い周波数帯域のノイズを除去でき、このようなノイズを後段のアンプ回路に混入することを防止できる。これにより、検波下限レベルをさらに低くすることができる。
【００１６】
また、本ＲＳＳＩ回路においては、上記アンプ回路の段間のうち少なくとも１つにバンドパスフィルタ回路が設けられていることが好ましい。なお、このバンドパスフィルタを、１つの段間に設けられたローパスフィルタ回路およびハイパスフィルタ回路で構成することもできる。このように、アンプ回路の段間にもノイズ除去用のＢＰＦを配置することで、各アンプ回路内の素子から発生する熱雑音等のノイズを除去することができ、検波下限レベルを一層低くすることができる。この場合、アンプ回路段間のバンドパスフィルタ回路の通過帯域幅を所望信号の帯域幅に略等しくすることが好ましい。こうすれば、所望信号より低い周波数帯域および所望信号より高い周波数帯域のノイズを除去でき、このようなノイズが後段のアンプ回路に混入することを防止することができる。これにより、検波下限レベルを一層低くすることができる。なお、上記バンドパスフィルタ回路を、アンプ回路の段間に直列に挿入されたコンデンサを用いて構成することで、上記バンドパスフィルタを簡易な構成にて実現できる。
【００１７】
また、本ＲＳＳＩ回路においては、アンプ回路の段間のうち少なくとも１つにローパスフィルタが設けられ、他の段間にハイパスフィルタ回路が設けられている構成とすることもできる。
【００１８】
また、本発明の半導体集積回路は。上記ＲＳＳＩ回路を備えることを特徴とする。
【００１９】
また、本発明の通信装置は、上記半導体集積回路を備えていることを特徴とする。
【発明の効果】
【００２０】
本発明のＲＳＳＩ回路においては、以上のように、所望信号を、ＲＳＳＩ回路の初段に配置したミキサー回路によってＩＦ信号よりも低い周波数にダウンコンバートしておく。そして、ミキサー回路の後段に配置されたＬＰＦ回路によってＬＰＦ回路の通過帯域よりも高い周波数の（所望信号の周波数帯域以外の）ノイズを除去し、所望信号の周波数帯域の信号のみを増幅部に入力させる。これにより、増幅部におけるノイズ電力を大幅に減少させることができ、検波下限レベルを低くすることができる。併せて、ローパスフィルタ(ＬＰＦ)の遮断周波数を低く設定することが可能であるため、その（ＬＰＦの）構成を簡易化なものとすることができる。
【発明を実施するための最良の形態】
【００２１】
本発明の実施の一形態を説明すれば、以下のとおりである。図２は、本実施の形態に係る高周波信号受信システム（以下、本受信システム）の一例である。同図に示されるように、本受信システム１０は、ローノイズアンプ（ＬＮＡ）１、Ｍｉｘｅｒ（ミキサー）２、バンドパスフィルタ（ＢＰＦ）３、ＡＧＣ回路５、復調回路６、本実施の形態に係るＲＳＳＩ回路４およびデジタル回路７を備える。
【００２２】
受信されたＲＦ（無線周波数）信号はＬＮＡ１で増幅され、Ｍｉｘｅｒ２で数百ＭＨｚ以下のＩＦ(中間周数)信号にダウンコンバートされる。Ｍｉｘｅｒ２からの出力信号は、フィルタ３でノイズ（所要周波数以外のスプリアス等）の除去が行われた後、ＲＳＳＩ回路４とＡＧＣ回路５とに入力される。ＲＳＳＩ回路４は入力信号のレベルに応じたＲＳＳＩ（受信信号強度表示）信号を出力する。また、ＡＧＣ回路５は信号の出力信号のレベルが一定になるように調整し、調整された信号は復調回路６で復調され、デジタル回路７で処理される。この時、ＲＳＳＩ信号はデジタル回路７に入力され、種々の制御に利用される。例えば、ＡＧＣ回路５の利得制御や受信信号の有無の判断などがある。
【００２３】
図１に本実施の形態係るＲＳＳＩ回路の構成を示す。同図に示すように、ＲＳＳＩ回路４は、Ｍｉｘｅｒ回路１１と、ローパスフィルタ（ＬＰＦ）回路１２と、３つのアンプ回路１３ａ〜１３ｃおよびローパスフィルタ（ＬＰＦ）回路１４を有する増幅部１８と、３つの変換回路１７ａ〜１７ｃと、加算回路２０とを備える。なお、変換回路１７ａ〜１７ｃはそれぞれ、各アンプ回路１３ａ・１３ｂ・１３ｃに対応して設けられる。
【００２４】
バンドパスフィルタ３（図２参照）から出力されたＩＦ信号は、ＲＳＳＩ回路４のＭｉｘｅｒ回路１１に入力され、数ＭＨｚ以下の周波数までダウンコンバートされる。この数ＭＨｚ以下の周波数までダウンコンバートされた信号はローパスフィルタ回路１２に入力される。ローパスフィルタ回路１２は所望信号のみを通過させる。すなわち、通過帯域外の、ノイズおよびＭｉｘｅｒ回路１１でのミキシングによって発生するスプリアス等を除去する（図６参照）。
【００２５】
ここで、ローパスフィルタ回路１２の通過帯域幅は所望信号の帯域幅に略等しいことが好ましい。さらに、このローパスフィルタ１２では、ＩＦ信号を３．０ＭＨｚ以下の信号にダウンコンバートすることが好ましい。このように、数ＭＨｚ以下の低い周波数までダウンコンバートすることで、集積回路内でのローパスフィルタ１２の形成が容易となる。なお、ＬＰＦ回路１２でノイズが除去されたＩＦ信号は、増幅部１８のアンプ回路１３ａに入力される。
【００２６】
なお、図８は、ローパスフィルタ回路１２の一構成例を示す回路図である。すなわち、ローパスフィルタ１２は、例えば、出力側ノードＴ２およびコンデンサＣ１の一方の電極が互いに接続されるとともに、これらと入力側ノードＴ１との間に抵抗Ｒ１が配され、コンデンサＣ１のもう一方の電極が接地され、、出力側ノードＴ４およびコンデンサＣ２の一方の電極が互いに接続されるとともに、これらと入力側ノードＴ３との間に抵抗Ｒ２が配され、コンデンサＣ２のもう一方の電極が接地された構成である。
【００２７】
増幅部１８は複数段のアンプ回路１３ａ〜１３ｃを備える。このように、複数段のアンプ回路を設けることでＲＳＳＩ信号のダイナミックレンジを広げることができる。図３（ａ）（ｂ）に増幅部１８の一回路例を示す。同図に示されるように、アンプ回路１３ａは、下流側が接地された電流源２０〜２２と、ＮＰＮ型のトランジスタ２５〜２８と、抵抗２３・２４と、ノードＸ０〜Ｘ２と、ノードＡ・Ｂとを備える。なお、ノードＸ０は変換回路１７ａにつながっており、ノードＸ０から整流信号が変換回路１７ａに出力される。ここで、ローパスフィルタ１２の出力は、ＩＮおよびＩＮＸを介してアンプ回路１３ａに接続され、ＩＮはトランジスタ２５のベースに接続され、ＩＮＸはトランジスタ２６のベースに接続されている。また、トランジスタ２５のエミッタ、トランジスタ２６のエミッタおよび電流源２０（上流側）がノードＸ０で接続され、トランジスタ２５のコレクタおよびトランジスタ２７のベースがノードＸ１で接続されている。また、トランジスタ２６のコレクタおよびトランジスタ２８のベースがノードＸ２で接続されている。また、トランジスタ２７のエミッタおよび電流源２１（上流側）がノードＡで接続されている。また、トランジスタ２８のエミッタおよび電流源２２（上流側）がノードＢで接続されている。また、ノードＸ１およびＶＣＣ間には抵抗２３が接続され、ノードＸ２およびＶＣＣ間には抵抗２４が接続されている。また、トランジスタ２７のコレクタおよびトランジスタ２８のコレクタがＶＣＣに接続されている。
【００２８】
また、アンプ回路１３ｂは、下流側が接地された電流源３０〜３２と、ＰＮＰトランジスタ３５〜３８と、抵抗３３・３４と、ノードＹ０〜Ｙ２と、ノードＣ・Ｄとを備える。なお、ノードＹ０は変換回路１７ｂにつながっており、ノードＹ０から整流信号が変換回路１７ｂに出力される。ここで、トランジスタ３５のベースはアンプ回路１３ａのノードＡに接続され、トランジスタ３６のベースはアンプ回路１３ａのノードＢに接続されている。また、トランジスタ３５のエミッタ、トランジスタ３６のエミッタおよび電流源３０（上流側）がノードＹ０で接続され、トランジスタ３５のコレクタおよびトランジスタ３７のベースがノードＹ１で接続されている。また、トランジスタ３６のコレクタおよびトランジスタ３８のベースがノードＹ２で接続されている。また、トランジスタ３７のエミッタおよび電流源２１（上流側）がノードＣで接続されている。また、トランジスタ３８のエミッタおよび電流源３２（上流側）がノードＤで接続されている。また、ノードＹ１およびＶＣＣ間には抵抗３３が接続され、ノードＹ２およびＶＣＣ間には抵抗３４が接続されている。また、トランジスタ３７のコレクタおよびトランジスタ３８のコレクタがＶＣＣに接続されている。
【００２９】
また、アンプ回路１３ｃは、下流側が接地された電流源４０〜４２と、ＰＮＰトランジスタ４５〜４８と、抵抗４３・４４と、ノードＺ０〜Ｚ２とを備える。なお、ノードＺ０は変換回路１７ｃにつながっており、ノードＺ０から整流信号が変換回路１７ｃに出力される。ここで、アンプ回路１３ｂのノードＣはＬＰＦ１４を介してトランジスタ４５のベースに接続され、アンプ回路１３ｂのノードＤはＬＰＦ１４を介してトランジスタ４６のベースに接続されている。また、トランジスタ４５のエミッタ、トランジスタ４６のエミッタ、ノードＺ０および電流源４０（上流側）が互いに接続され、トランジスタ４５のコレクタ、ノードＺ１およびトランジスタ４７のベースが互いに接続されている。また、トランジスタ４６のコレクタ、ノードＺ２およびトランジスタ４８のベースが互いに接続されている。また、トランジスタ４７のエミッタおよび電流源４１（上流側）が互いに接続されている。また、トランジスタ４８のエミッタおよび電流源４２（上流側）が互いに接続されている。また、ノードＺ１およびＶＣＣ間には抵抗４３が接続され、ノードＺ２およびＶＣＣ間には抵抗４４が接続されている。また、トランジスタ４７のコレクタおよびトランジスタ４８のコレクタがＶＣＣに接続されている。
【００３０】
また、ローパスフィルタ１４には、例えば、図８に示したローパスフィルタを用いることができる。この場合、アンプ回路１３ｂのノードＣをローパスフィルタ１４のノードＴ１に接続し、アンプ回路１３ｂのノードＤをローパスフィルタ１４のノードＴ３に接続し、アンプ回路１３ｃのトランジスタ４５のベースをローパスフィルタ１４のノードＴ２に接続し、アンプ回路１３ｃのトランジスタ４６のベースをローパスフィルタ１４のノードＴ４に接続する。
【００３１】
図１に戻って、アンプ回路１３ａは、ＩＦ信号を増幅した増幅信号ＩＦａをアンプ回路１３ｂに出力するとともに、入力信号（ＩＦ信号）のレベルに応じた整流信号ＤＳａを変換回路１７ａに出力する。アンプ回路１３ｂは、信号ＩＦａを増幅した増幅信号ＩＦｂをローパスフィルタ回路１４に出力するとともに、入力信号（ＩＦａ）のレベルに応じた整流信号ＤＳｂを変換回路１７ｂに出力する。
【００３２】
ローパスフィルタ回路１４では、入力された信号ＩＦｂから、各アンプ回路（特に、アンプ回路１３ａおよびアンプ回路１３ｂ）内の素子で発生するノイズ（熱雑音、ショット雑音、フリッカ雑音等）が除去され（図６参照）、信号ＩＦｂ’が出力される。なお、ローパスフィルタ回路１４の通過帯域幅は所望信号の帯域幅に略等しいことが好ましい。アンプ回路１３ｃは、ＬＰＦ回路１４からの信号ＩＦｂ’を増幅するとともに、入力信号（ＩＦｂ’）のレベルに応じた整流信号ＤＳｃを変換回路１７ｃに出力する。
【００３３】
変換回路１７ａは整流信号ＤＳａに比例した信号Ｓａを出力する。同様に、変換回路１７ｂは整流信号ＤＳｂに比例した信号Ｓｂを出力し、変換回路１７ｃは整流信号ＤＳｃに比例した信号Ｓｃを出力する。また、加算回路２０は、各変換回路１７ａ・１７ｂ・１７ｃの各出力（Ｓａ〜Ｓｃ）を加算し、この加算結果に比例したＲＳＳＩ信号を出力する。
【００３４】
各アンプ回路の入力は後段になるほど大きくなるため、入力信号のレベルに対する変換回路１７ａ〜１７ｃの出力は図４（ａ）のようになる。本実施の形態では、ローパスフィルタ回路１２およびローパスフィルタ１４でノイズが除去されるため、従来のＲＳＳＩ回路に比較してノイズ電力が大幅に低減されている。したがって、各変換回路の出力（信号Ｓａ〜Ｓｃ）のダイナミックレンジは、図４（ａ）に示すように、従来のＲＳＳＩ回路のもの（図１１（ａ）参照）より広がっている。
【００３５】
ここで、ＲＳＳＩ信号は、各変換回路の出力（信号Ｓａ〜Ｓｃ、図４（ａ）参照）の総計（図４（ｂ）参照）に比例したものであるため、本ＲＳＳＩ回路４が生成するＲＳＳＩ信号は、図５に示されるように、従来のＲＳＳＩ回路が生成するＲＳＳＩ信号よりも、ノイズの影響がない場合のＲＳＳＩ信号に近づくことになる。すなわち、本ＲＳＳＩ回路の検波下限レベルＩＦＬは、従来のＲＳＳＩ回路の検波下限レベルｉｆＬより小さく、低いレベルの信号も検波しうるＲＳＳＩ回路が実現されている。併せて、本実施の形態ではローパスフィルタ回路１２・１４の遮断周波数を低く設定することが可能であるため、その（ローパスフィルタ回路の）構成を簡易化なものとすることができる。
【００３６】
なお、本実施の形態ではカスコード接続するアンプ回路の段数を３としているがこれに限定されない。必要に応じて段数を増やしても良いし、減らしてもよい。
【００３７】
なお、増幅部１８の各アンプ回路の段間にローパスフィルタ回路を設けない構成も可能である。また、増幅部１８のアンプ回路の段間にバンドパスフィルタ回路を設けても良い。また、図７に示すように、アンプ回路１３の段間の１つにローパスフィルタおよびハイパスフィルタ回路を設け、バンドパスフィルタを構成しても構わない。このハイパスフィルタの一例として図９の構成を挙げることができる。すなわち、ノードｔ２およびコンデンサＣ３の一方の電極が互いに接続されるとともに、これらとＢｉａｓ端との間に抵抗Ｒ３が配され、コンデンサＣ３のもう一方の電極がｔ１に接続され、ノードｔ４およびコンデンサＣ４の一方の電極が互いに接続されるとともに、これらとＢｉａｓ端との間に抵抗Ｒ４が配され、コンデンサＣ４のもう一方の電極がｔ３に接続された構成である。さらに、図１０に示すように、アンプ回路１３ａ・１３ｂの段間に、例えば図８に示すローパスフィルタを設け、アンプ回路１３ｂ・１３ｃの段間に、例えば図９に示すハイパスフィルタ回路を設けても構わない。
【００３８】
このように、アンプ回路１３ｂおよびアンプ回路１３ｃの段間にバンドパスフィルタ回路１９を設けることで、各アンプ回路（１３ａ・１３ｂ）内の素子から発生する熱雑音等のノイズを除去することができ、検波下限レベルを一層低くすることができる。このとき、バンドパスフィルタ回路１９の通過帯域幅を所望信号の帯域幅に略等しくすることが好ましい。こうすれば、所望信号より低い周波数帯域および所望信号より高い周波数帯域のノイズを除去でき、検波下限レベルを一層低くすることができる。
【産業上の利用可能性】
【００３９】
本発明は、各種の通信装置、特にその受信システムに広く利用可能である。
【図面の簡単な説明】
【００４０】
【図１】本実施の形態に係るＲＳＳＩ回路の構成を示すブロック図である。
【図２】本実施の形態に係る受信システムの構成を示すブロック図である。
【図３】（ａ）（ｂ）は、図１に示すＲＳＳＩ回路の増幅部を示す回路図である。
【図４】（ａ）は、本ＲＳＳＩ回路におけるＩＦ信号と各変換回路の出力との関係を示すグラフであり、（ｂ）は、本ＲＳＳＩ回路におけるＩＦ信号と加算回路における加算結果との関係を示すグラフである。
【図５】本ＲＳＳＩ回路によるＲＳＳＩ信号、従来のＲＳＳＩ回路によるＲＳＳＩ信号およびノイズの影響がない場合のＲＳＳＩ信号を示すグラフである。
【図６】本ＲＳＳＩ回路に設けられるローパスフィルタのノイズ除去機能を説明する模式図である。
【図７】アンプ回路の段間の１つにローパスフィルタおよびハイパスフィルタを設けた構成を示す回路図である。
【図８】ローパスフィルタの一具体例を示す回路図である。
【図９】ハイパスフィルタの一具体例を示す回路図である。
【図１０】アンプ回路の段間の１つにローパスフィルタを設け、他の段間にハイパスフィルタを設けた構成を示す回路図である。
【図１１】（ａ）は、従来のＲＳＳＩ回路におけるＩＦ信号と各変換回路の出力との関係を示すグラフであり、（ｂ）は、従来のＲＳＳＩ回路におけるＩＦ信号と加算回路における加算結果との関係を示すグラフである。
【図１２】従来のＲＳＳＩ回路によるＲＳＳＩ信号およびノイズの影響がない場合のＲＳＳＩ信号を示すグラフである。
【図１３】従来の受信システムの構成を示すブロック図である。
【図１４】従来のＲＳＳＩ回路の構成を示すブロック図である。
【図１５】アンプ回路の入力と変換回路出力との関係を示すグラフである。
【符号の説明】
【００４１】
１  ＬＮＡ（ローノイズアンプ）
２  ミキサ
３  バンドパスフィルタ
４  ＲＳＳＩ回路
５  ＡＧＣ回路
６  復調回路
７  デジタル回路
１０  受信システム
１１  ミキサ回路
１２  ローパスフィルタ回路
１３ａ〜１３ｃ  アンプ回路
１４  ローパスフィルタ回路
１７ａ〜１７ｃ  変換回路
１８  増幅部
１９  バンドパスフィルタ回路
２０  加算回路
【図１】
2007006026.tif 000003
【図２】
2007006026.tif 000004
【図３】
2007006026.tif 000005
【図４】
2007006026.tif 000006
【図５】
2007006026.tif 000007
【図６】
2007006026.tif 000008
【図７】
2007006026.tif 000009
【図８】
2007006026.tif 000010
【図９】
2007006026.tif 000011
【図１０】
2007006026.tif 000012
【図１１】
2007006026.tif 000013
【図１２】
2007006026.tif 000014
【図１３】
2007006026.tif 000015
【図１４】
2007006026.tif 000016
【図１５】
2007006026.tif 000017